(57)【特許請求の範囲】
【請求項１】
商品収納ラックを搭載した本体キャビネットの庫内底部にファン付き冷却，加熱ユニットを設置し、該ユニットの風胴に連ねてキャビネット庫内の背面パネル上に庫内空気の通風ダクトを布設した自動販売機において、
前記通風ダクトは断面コ字形に加工され、下部に通風窓穴を有し、該通風ダクトの上部中央には裏面側に向けてその先端を手前側に多少深く折り込んだフック状の係止爪，下部に該通風窓穴の下縁より裏面側に向けてねじ座を設けるとともに、該係止爪，ねじ座に対向して背面パネル側には角穴，ねじ穴を形成し、前記係止爪を角穴に引っ掛けた上で、前記ねじ座とねじ穴の間をねじ止めして通風ダクトを背面パネル上の定位置に固定したことを特徴とする自動販売機。
【請求項２】
請求項１記載の自動販売機において、
係止爪，ねじ座を、通風ダクトの板面中央から裏面側へ切り起こして形成したことを特徴とする自動販売機。
【発明の詳細な説明】
【０００１】
【発明の属する技術分野】
本発明は、本体キャビネットの庫内にファン付き冷却，加熱ユニットを組み込み、商品収納ラックに収納した商品を保冷，ないし加温して販売する自動販売機に関する。
【０００２】
【従来の技術】
まず、本発明の実施対象となるホット・アンド・コールド自動販売機の構成を図２，図３に示す。図において、１は断熱筐体としてなる自動販売機の本体キャビネット、２は前面外扉、３は断熱内扉であり、本体キャビネット１の庫内には商品収納ラック（例えばサーペンタイン式商品収納ラック）４，商品搬出シュータ５に加えて、庫内底部にはファン付き冷却，加熱ユニット６を設置し、商品収納ラック４に収納した商品を冷蔵，ないし温蔵するようにしている。
【０００３】
ここで、冷却，加熱ユニット６は、ファン６ａを備えた風胴６ｂに冷却器（冷凍機のエバポレータ）６ｃ，およびヒータ６ｄを組み込んだ構成であり、前記風胴６ｂの後端に連ねて本体キャビネット１の背面パネル上には通風ダクト７が布設されている。なお、８は本体キャビネット１の下部機械室内に設置した冷凍機のコンデンシングユニットである。
【０００４】
かかる構成になる自動販売機の販売動作は周知であり、販売指令に基づいて商品収納ラック４から搬出した商品（缶商品）は、シュータ６の斜面を転動し、断熱内扉３に設けた商品搬出扉３ａを押し開いて外扉２の商品取出口２ａに送出される。ここで、コールド商品を販売する場合には冷凍機を運転し、冷却器６ｃとの熱交換により冷却した冷気を矢印で表すようにファン６ａにより庫内で循環送風して商品を保冷する。一方、ホット商品を販売する場合にはヒータ６ｄを通電して庫内空気を加熱し、その暖気を庫内に循環送風して商品を加温する。また、庫内上方に向けて吹き出した冷気，暖気は商品収納ラック４の領域を通風した後、前記の通風ダクト７に吸い込まれて冷却，加熱ユニット６に還流する。
【０００５】
次に、従来の自動販売機における前記通風ダクト７の取付け構造を図４に示す。なお、図中で符号１ａは断熱筐体として作られた本体キャビネット１（図３参照）の背面パネルである。すなわち、通風ダクト７は薄鋼板を断面コ字形に板金加工したものであり、その左右両サイドにはフランジ７ａを形成し、このフランジ７ａを背面パネル１ａの板面上に当てがって位置決めした上で、両者の間をタッピンねじ９によりねじ止め固定するようにしている。なお、７ｂは冷却，加熱ユニット６の後端面に連通する窓穴である。
【０００６】
【発明が解決しようとする課題】
ところで、前記通風ダクトの従来における取付け構造では、組立作業性の面で次記のような難点がある。すなわち、通風ダクト７をキャビネットの背面パネル１ａに固定するには、ダクトの位置決め，ねじ穴の穴合わせを行った上で、通風ダクト１枚当たり４〜６箇所でねじ止めを行う必要がある。また、缶飲料自動販売機では、庫内が通常三つの商品収納室に仕切られて各室ごとに通風ダクトを布設していることから、自動販売機１台当たりで通風ダクトの取付けに要するねじ止め箇所は１２〜１８箇所にも及び、多くの工数を要する。しかも、本体キャビネットの庫内に仕切られた商品収納室の間口は作業員の体が辛うじて入る程度の狭い幅であり、特に商品収納室の奥行き寸法が深い自動販売機では、通風ダクトの取付作業が困難を極めることから、その作業性の改善策が現場からの要求として強く望まれている。
【０００７】
本発明は上記の点にかんがみなされたものであり、その目的は、本体キャビネットの庫内に庫内通風用の通風ダクトを組み込む際の取付け作業が簡単で能率よく行えるよう改良した自動販売機、特に通風ダクトの取付構造を提供することにある。
【０００８】
【課題を解決するための手段】
上記目的を達成するために、本発明によれば、商品収納ラックを搭載した本体キャビネットの庫内底部にファン付き冷却，加熱ユニットを設置し、該ユニットの風胴に連ねてキャビネット庫内の背面パネル上に庫内空気の通風ダクトを布設した自動販売機において、通風ダクトを次記のように取付けるものとする。
【０００９】
１）通風ダクトは断面コ字形に加工され、下部に通風窓穴を有し、通風ダクトの上部中央には裏面側に向けてフック状の係止爪，下部に該通風窓穴の下縁より裏面側に向けてねじ座を設けるとともに、該係止爪，ねじ座に対向して背面パネル側には角穴，ねじ穴を形成し、前記係止爪を角穴に引っ掛けた上で、前記ねじ座とねじ穴の間をねじ止めして通風ダクトを背面パネル上の定位置に固定する。
【００１０】
２）前項１)において、係止爪，ねじ座を、通風ダクトの前面中央から裏面側へ切り起こして形成する。
かかる構成において、通風ダクトを本体キャビネットの背面パネルに固定する際に、ダクト上部の係止爪をパネル側の角穴へ引っ掛けて位置決めした上で下部をねじ止めする。面倒なねじ止め箇所が従来と比べて半減する。しかも、係止爪，ねじ座をダクト板面の中央から切り起こして形成すことで、構造が簡単，かつ取付け箇所も２箇所だけで済み、通風ダクトを短時間で作業能率よく組み込むこと
ができる。
【００１１】
【発明の実施の形態】
以下、本発明の実施例を図面に基づいて説明する。なお、各実施例の図中で図４に対応する同一部材には同じ符号が付してある。
〔実施例〕図１（ａ）〜（ｃ）は本発明の請求項１，２に対応する実施例を示すものであり、この実施例においては、断面コ字形に板金加工された通風ダクトの上部中央には裏面側に向けてフック状の係止爪７ｃが切り起こし形成され、また下部には通風窓穴７ｂの下縁より裏面側に向けてねじ座７ｄを切り起こし形成され、その中央にねじ穴が穿孔されている。一方、前記の係止爪７ｃ，ねじ座７ｄに対向して本体キャビネット１の背面パネル１ａの板面には、あらかじめ通風ダクト７の布設位置に合わせて係止爪７ｃを引っ掛ける角穴１ｂ，およびねじ穴１ｃを加工しておく。
【００１２】
そして、通風ダクト７を本体キャビネット１の庫内に挿入して背面パネル１ａに取付ける組立工程では、まずダクトの係止爪７ｃをパネルの角穴１ｂに引っ掛けて通風ダクト７を位置決めした後、下部のねじ座７ｄと相手側のねじ穴１ｃとの間でタッピンねじ９をドライバ１０によりねじ込んで固定する。なお、係止爪７ｃを角穴１ｂに引っ掛けた状態で、通風ダクト７の左右両側縁が隙間を残すことなく背面パネル１ａの板面に密着させるために、図１（ｃ）で示すように係止爪７ｃの先端を手前側に多少深く折り込んでおき、そのばね性を利用して寸法のばらつきを吸収するようにすることができる。
【００１３】
【発明の効果】
以上述べたように、本発明の構成によれば、本体キャビネットの庫内に通風ダクトを組み込む際の作業が、ねじ止め方式の従来の取付け構造と比べて、通風ダクトの位置決めが簡単で、かつ工数も少なくて済み、これにより通風ダクトを短時間の作業で能率よく取付けられるなど、その組立工程での作業性を大幅に改善することができる。
【図面の簡単な説明】
【図１】  本発明の実施例に対応する通風ダクトの取付構造図であり、（ａ）は分解斜視図、（ｂ）は組立状態の断面図、（ｃ）は係止爪の形状を表す拡大断面図
【図２】  本発明の実施対象となる自動販売機の外観斜視図
【図３】  図２の縦断面図
【図４】  従来における通風ダクトの取付構造を示す分解斜視図
【符号の説明】
１ 本体キャビネット
１ａ 背面パネル
１ｂ 角穴
１ｃ ねじ穴
６ 冷却，加熱ユニット
６ａ ファン
６ｂ 風胴
６ｃ 冷却器
６ｄ ヒータ
７ 通風ダクト
７ｃ 係止爪
７ｄ ねじ座
【図１】
0003733638.tif 000002
【図２】
0003733638.tif 000003
【図３】
0003733638.tif 000004
【図４】
0003733638.tif 000005